(57)【要約】【課題】保守・点検用扉を開放した状態、或いはパネルを外した状態でエンジンを駆動させた場合にも最適な燃料噴射量を確保して運転不能に陥ることを防止する。【解決手段】筐体２に保守・点検用扉１１またはパネル１２の少なくとも一方に開閉状態を検知して開閉信号をコントロールユニット（ＥＣＵ）５に送信する開閉検知センサ１３，１４が備えられているとともに制御マップに保守・点検用扉１１またはパネル１２が開放した際の筐体２内におけるエンジン１の吸入空気量に応じたエンジン回転数と吸入空気の供給量との関係から最適な燃料噴射量を求める開放時の制御マップがコントロールユニット（ＥＣＵ）５に予め記憶されており、前記開閉検知センサ１３，１４から送信される開閉信号が開放信号のときには通常運転制御マップ制御を開放時の制御マップに切り替えてエンジン１を運転する。【選択図】図１
2014211268.tif 000002
【特許請求の範囲】
【請求項１】
エンジンが吸気ダクトを備えた適宜密閉の筐体内に配置されており、前記エンジンのスロットルに備えられた開度センサにより検知した運転負荷に応じたスロットル開度信号をコントロールユニット（ＥＣＵ）に送信し、前記コントロールユニット（ＥＣＵ）に予め記憶させたエンジン回転数と吸入空気の供給量との関係から最適な燃料噴射量を求める通常運転制御マップに従ってエンジンの燃料流量調整弁から燃料を供給するマップ制御によるエンジンを用いた室外機において、前記筐体に保守・点検用扉またはパネルの少なくとも一方に開閉状態を検知して開閉信号を前記コントロールユニット（ＥＣＵ）に送信する開閉検知センサが備えられているとともに前記制御マップに前記保守・点検用扉またはパネルが開放した際の筐体内におけるエンジンの吸入空気量に応じたエンジン回転数と吸入空気の供給量との関係から最適な燃料噴射量を求める開放時の制御マップが前記コントロールユニット（ＥＣＵ）に予め記憶されており、前記コントロールユニット（ＥＣＵ）に備えられた制御マップ切り替え手段により前記開閉検知センサから送信される開閉信号が開放信号のときには前記通常運転制御マップ制御を前記開放時の制御マップに切り替えてエンジンを運転することを特徴とするマップ制御によるエンジンを用いた室外機。
【請求項２】
前記開閉検知センサが筐体または保守・点検用扉、パネルに付設されたマイクロスイッチであることを特徴とする請求項１記載のマップ制御によるエンジンを用いた室外機。
【発明の詳細な説明】
【技術分野】
【０００１】
本発明は、例えば、空調機器、冷凍機器、発電機器などの動力源としてのエンジンを用いた室外機、殊に、エンジンを筐体に収容したエンジンをマップ制御により駆動する室外機に関するものである。
【背景技術】
【０００２】
従前より室内に設置される空調機器、冷凍機器、発電機器などの産業機器の動力源としてエンジンを用いたものが知られているが、エンジンを室内に配置すると、振動や騒音の発生、室内スペースの確保、更には運転操作性などの問題があり、エンジン部分或いはヒートポンプや発電機などの周辺機器を室外機として室外に設置することが一般的に行われている。
【０００３】
そして、前記室外機に用いられるエンジンは使用する機器が限定されていることから一定範囲の条件で駆動されることが多く、比較的少ない部品で安価に且つ容易に制御することが望まれており、例えば図２に示すように、エンジン１が吸気ダクト９を備えた適宜密閉の筐体２内に配置されており、例えば前記エンジン１はスロットル３に備えられたスロットル開度センサ４により検知した運転負荷に応じたスロットル開度信号をコントロールユニット（ＥＣＵ）５に送信し、前記コントロールユニット（ＥＣＵ）５に予め記憶させたエンジン回転数と吸入空気６の供給量との関係から最適な燃料噴射量を求める通常運転制御マップに従ってエンジン１の燃料流量調整弁７から燃料８を供給するマップ制御エンジンが採用されている。
【０００４】
また、前記室外機はエンジンや周辺機器の駆動により生じる周囲への騒音を考慮し、更には風雨や塵埃などの影響を避けるために例えば特開２００５−５５１４７号公報などに提示されているように筐体２と称される適宜の密封性を有する屋外ケースに囲まれて配置されているのが一般的である。
【０００５】
そのため、前記筐体２内は換気用の吸気ダクト９からの吸気がなされるが騒音防止や振動防止の効果を発揮させる必要性から他はほぼ密閉状態であることからエンジン１を駆動させると吸入抵抗が高くなり吸入空気量が減少する。そのため、前記制御マップも吸気ダクト９やエンジン１更には筐体２等の性状に合わせて室外機ごとに作成される必要がある。
【０００６】
ところが、内部に収容したエンジン１などの点検や保守のために前記筐体２には保守・点検用扉１１が備えられており、保守・点検用扉１１を開放した状態や、筐体２のパネル１２を外した状態でエンジンを駆動させた場合には筐体２内が大気に開放されてエンジン１の吸入抵抗が低下して吸入空気量が増加するが、エンジン１は前記筐体２がほぼ密閉状態を前提とした通常運転制御マップにより制御されているのでエンジン１の吸入空気量が増加して運転不能に陥ることになる。
【０００７】
そこで、筐体２の保守・点検用扉１１の開閉や、筐体２のパネル１２の嵌脱により生じる筐体２内の吸入抵抗の変化を考慮して、例えば常時、吸入空気量を検知して適正な燃料を供給する制御手段によりエンジン１を制御することも可能であるが、部品点数が増加し、更には制御が複雑になるなど経済面や保守・点検の問題があり、特に、室外機の保守・点検用扉１１やパネル１２の開閉の機会はきわめて少ないことからそのために高価で複雑な制御手段を採用すると採算が合わない。
【先行技術文献】
【特許文献】
【０００８】
【特許文献１】特開２００５−５５１４７号公報
【発明の概要】
【発明が解決しようとする課題】
【０００９】
本発明は、上記のような問題点を解決しようとするものであり、マップ制御のエンジンを用いた室外機において、点検や保守のために筐体に備えられている保守・点検用扉を開放した状態、或いはパネルを外した状態でエンジンを駆動させた場合にも最適な燃料噴射量を確保して運転不能に陥ることを簡単且つ安価な手段で防止することを課題とするものである。
【課題を解決するための手段】
【００１０】
前記課題を解決するためになされた本発明であるマップ制御によるエンジンを用いた室外機は、エンジンが吸気ダクトを備えた適宜密閉の筐体内に配置されており、前記エンジンのスロットルに備えられたスロットル開度センサにより検知した運転負荷に応じたスロットル開度信号をコントロールユニット（ＥＣＵ）に送信し、前記コントロールユニット（ＥＣＵ）に予め記憶させたエンジン回転数と吸入空気の供給量との関係から最適な燃料噴射量を求める通常運転制御マップに従ってエンジンの燃料流量調整弁から燃料を供給するマップ制御によるエンジンを用いた室外機において、前記筐体に保守・点検用扉またはパネルの少なくとも一方に開閉状態を検知して開閉信号を前記コントロールユニット（ＥＣＵ）に送信する開閉検知センサが備えられているとともに前記制御マップに前記保守・点検用扉またはパネルが開放した際の筐体内におけるエンジンの吸入空気量に応じたエンジン回転数と吸入空気の供給量との関係から最適な燃料噴射量を求める開放時の制御マップが前記コントロールユニット（ＥＣＵ）に予め記憶されており、前記コントロールユニット（ＥＣＵ）に備えられた制御マップ切り替え手段により前記開閉検知センサから送信される開閉信号が開放信号のときには前記通常運転制御マップ制御を前記開放時の制御マップに切り替えてエンジンを運転することを特徴とする。
【００１１】
また、前記開閉検知センサが筐体または保守・点検用扉、パネルに付設されたマイクロスイッチとすることにより安価に提供することができる。
【発明の効果】
【００１２】
本発明によると、通常は経済的なマップ制御によりエンジンを運転可能としているだけでなく、点検や保守のために筐体に備えられている保守・点検用扉を開放した状態、或いはパネルを外した状態でエンジンを駆動させた場合にも最適な燃料噴射量を確保して運転不能に陥ることを簡単且つ安価な手段で防止することができる。
【図面の簡単な説明】
【００１３】
【図１】本発明による実施の形態を示す概略図である。
【図２】従来例を示す概略図である。
【発明を実施するための形態】
【００１４】
以下に、図面を参照しながら本発明を実施するための形態を説明する。
【００１５】
図１は、本実施の形態の概略を示すものであり、全体の構成は前記図２に示した従来例とほぼ同様であり、エンジン１が吸気ダクト９を備えた適宜密閉の筐体２内に配置されており、例えば前記エンジン１はスロットル３に備えられたスロットル開度センサ４により検知した運転負荷に応じたスロットル開度信号をコントロールユニット（ＥＣＵ）５に送信し、前記コントロールユニット（ＥＣＵ）５に予め記憶させたエンジン回転数と吸入空気６の供給量との関係から最適な燃料噴射量を求める制御マップに従ってエンジン１の燃料流量調整弁７から燃料８を供給するマップ制御エンジンが筐体２に収容されている。
【００１６】
また、本実施の形態では、筐体２に、筐体２内に外気を導入するための吸気ダクト９が配置されているとともに、開閉式または取り外し式の保守・点検用扉１１ならびにパネル１２が備えられており、更に、前記筐体２には例えば前記保守・点検用扉１１ならびにパネル１２が閉成状態のときにＯＦＦ状態にあり、開放状態のときにＯＮ作動する例えばマイクロスイッチを内蔵するリミットスイッチからなる開閉検知センサ１３，１４が備えられている。
【００１７】
更に、前記コントロールユニット（ＥＣＵ）５にはエンジンへ最適な燃料供給量を供給するための制御マップとして前記通常運転制御マップに加えて前記保守・点検用扉１１またはパネル１２が開放した際の筐体２内におけるエンジン１の吸入空気量に応じたエンジン回転数と吸入空気の供給量との関係から最適な燃料噴射量を求める前記保守・点検用扉１１またはパネル１２の一方または双方が開放したときの各開放運転制御マップ、更には、前記筐体２の保守・点検用扉１１ならびにパネル１２部分に備えられた開閉検知センサ１３，１４からの開閉信号が何れもがＯＦＦ状態（閉成状態）の信号が送信されているときに前記制御マップとして通常運転制御マップを選択してエンジンを駆動するとともに前記開閉検知センサ１３，１４のいずれかまたは双方からＯＮ状態（開放状態）の信号が送信されているときには前記保守・点検用扉１１またはパネル１２の一方または双方が開放したときの各開放運転制御マップにそれぞれ切り替えてエンジンを駆動する制御マップ切り替え手段が備えられている（図示せず）。
【００１８】
以上の構成を有する本実施の形態は、通常、つまり、前記保守・点検用扉１１またはパネル１２が閉じている状態では前記コントロールユニット（ＥＣＵ）５に備えられた制御マップ切り替え手段は前記開閉検知センサ１３，１４からの開閉信号が何れもがＯＦＦ状態（閉成状態）の信号が送信されていることからエンジン１の制御マップとして通常運転制御マップを選択することになり、前記図２に示した従来例と同様に、前記ほぼ密閉した状態の筐体２の雰囲気に合わせて設定した条件で燃料が供給されて効率よく駆動する。
【００１９】
そして、保守・点検などのサービスや故障などで前記保守・点検用扉１１またはパネル１２の一方または双方が開放したときには、前記開閉検知センサ１３，１４のいずれかまたは双方からＯＮ状態（開放状態）の信号がコントロールユニット（ＥＣＵ）５に送信され、前記制御マップ切り替え手段より前記保守・点検用扉１１またはパネル１２の一方または双方についての各開放運転制御マップが選択されて前記保守・点検用扉１１またはパネル１２の一方または双方が開放した際の筐体２内におけるエンジン１の吸入空気量に応じた最適な燃料噴射量がエンジン１に供給されることになり、前記従来例のようにエンジン１の吸入空気量が増加して運転不能に陥ることを解消することができる。
【００２０】
また、修理等のサービスが終了して開放状態の前記保守・点検用扉１１またはパネル１２を再び閉じると、前記開放状態の開閉検知センサ１３，１４のいずれかまたは双方からＯＦＦ状態（閉成状態）の信号がコントロールユニット（ＥＣＵ）５に送信され、前記制御マップ切り替え手段より前記保守・点検用扉１１またはパネル１２の一方についての開放運転制御マップが或いは前記保守・点検用扉１１またはパネル１２の双方が閉成状態の場合には通常運転制御マップが選択されて前記保守・点検用扉１１またはパネル１２の一方または双方が開放した際または前記保守・点検用扉１１またはパネル１２の双方が閉成した際の筐体２内におけるエンジン１の吸入空気量に応じた最適な燃料噴射量がエンジン１に供給されることになり、前記保守・点検用扉１１またはパネル１２の一方または双方が開放したとしても何れの場合にもエンジン１を最適量の燃料が供給される状態で制御することができる。
【００２１】
特に、本実施の形態では、従来から室外機などにおいて採用されているマップ制御を用いていることから多数の高価な部品や複雑な制御を必要としないので設計、保守なども容易で、安価に提供可能である。
【００２２】
更に、本実施の形態では前記開閉検知センサ１３，１４として例えばマイクロスイッチを内蔵するリミットスイッチを用いたことにより更に安価に且つ正確な開閉状態を検知することができるがこれに限るものでなく、例えば赤外線方式など従来周知の検知センサをもついてもよいことは勿論である。
【符号の説明】
【００２３】
１  エンジン、２  筐体、３  スロットル、４  スロットル開度センサ、５  コントロールユニット（ＥＣＵ）、６  吸入空気、７  燃料流量調整弁、８  燃料、９  吸気ダクト、１１  保守・点検用扉、１２  パネル、１３  開閉検知センサ、１４  開閉検知センサ
【図１】
2014211268.tif 000003
【図２】
2014211268.tif 000004